(57)【特許請求の範囲】
【請求項１】
枠組壁工法住宅の足場を組立てる際に、足場左右の中央の単管を高く構成し、その高く構成した足場左右の単管の上端部を互いに支持ロープで結び、さらに、その支持ロープを跨いで複数本のガイドロープを、への字形になるように足場上部の単管に結び付け、複数本のガイドロープの一端に、塩ビパイプにブルーシートを巻きつけた回転式シート巻取装置を乗せ、続いてブルーシートの端のハトメに紐を結わえて単管に固定し、塩ビパイプの両端にパイプ回転装置を取付け、パイプ回転装置用ロープを塩ビパイプに一巻きしてパイプ回転装置に通し、そのパイプ回転装置用ロープを引張る事により塩ビパイプに巻き付けられたパイプ回転装置用ロープが塩ビパイプを回転させ、塩ビパイプに巻かれたブルーシートをパイプ回転装置用ロープを引張った方向に広げたり巻き取ったりする事を特徴とする工事用シート屋根（ロープ巻きタイプ）。
【請求項２】
パイプ回転用装置は、鋼板を逆さ台形状に加工したベース板に、パイプを挟むための開口部を開け、ベース板の前方の片側にはパイプ回転装置用ロープを引き込むためのローラーとパイプ回転装置用ロープの外れ止めを取付け、同様に、ベース板の後方の反対側にもパイプ回転装置用ロープを引き込むためのローラーとパイプ回転装置用ロープの外れ止めを取付け、さらにベース板のパイプを挟むための開口部には開口部の上部と左右下部に３個のナットを固定し、この固定した３個のナットのベース板を挟んで、左右方向に回転ローラーをボルトで取付け、さらに左右下部の２個のナットと、そのナットとローラーの間に、パイプ回転装置用ロープをガイドするためのガイド板を取付けた事を特徴とする請求項１に記載の工事用シート屋根（ロープ巻きタイプ）。
【請求項３】
回転式シート巻取装置の左右に取付けた、パイプ回転装置に巻き付けられたパイプ回転装置用ロープは、手動ウインチと滑車と支持ロープの上部を経由してループ状に構成され、手動ウインチを時計方向に回す場合と、反時計方向に回す場合でパイプ回転装置の進行方向が逆方向になるように構成した事を特徴とする請求項１又は２に記載の工事用シート屋根（ロープ巻きタイプ）。
【発明の詳細な説明】
【技術分野】
【０００１】  本発明は、枠組壁工法住宅の建築中の現場を、雨や夏の直射日光から保護するための仮設屋根に関するものである。
【背景技術】
【０００２】  枠組壁工法住宅の２階建て住宅を建築する（３階建て住宅も同様）場合においては、最初に基礎を構築し、つづいて１階床を施工してから１階外壁を組立て、つづいて２階床を施工してから２階外壁を組立て、最後に屋根を取付けるので、屋根を取付けられていない施工中の現場で雨が降った場合、１階や２階の床面（構造用合板）に雨水がたまり、梅雨等のように長期に渡って雨が降り続いた場合には、床の構造用合板を固定するために使用した釘の頭部分が錆び、釘の回りに黒いリングのような染みが出来て、お施主様から、床に水が溜まって木が腐り耐久性で問題が生ずるのではないか、といった苦情が多数寄せられていた。【０００３】  なお、このように大量の雨が降って、床面（構造用合板）に水溜まりが出来そうな場合には、上記のような問題が発生した為、雨の降る前にブルーシート等を床（構造用合板）の上に敷き、床や資材が濡れないように対応しているが、その後、ブルーシートに溜まった水を排水させるために作業員が現場に出向いて排水作業を行わなければならないため、多くの時間と労力を必要とし、コストアップの原因となっていた。【０００４】  また、雨の日においては、搬入した資材が濡れてしまい品質が低下する弊害が生ずるため、作業を中止せざるを得なかった。このため、梅雨等で、長期において工事が中断すると工期遅れの原因となり、お施主様との間でトラブルが生じた。【０００５】  さらに、夏季の日射の強い日においては、施工中の現場が外壁に囲まれ、さらに屋根が無いため、建築中の現場の室内が直射日光にさらされて高温となり、大工さん達の作業の妨げとなっていた。【０００６】  そのため、現在でも、真夏の日差しの強い日には、大工さんがブルーシートのハトメに紐を結び、足場の単管を利用して日陰を作って作業している姿が見受けられるが、日陰の範囲が狭く、ブルーシートを建築中の建物の上方に固定するのに時間を要するといった問題があった。さらに、ブルーシートが風にあおられて、バタバタと音が発生するため、近隣の家から苦情が寄せられる事もあった。
【発明の概要】
【発明が解決しようとする課題】
【０００７】  直射日光の強い夏場や雨の日においては、現場に工事用の仮設屋根を設置して直射日光や雨を防げばよいが、しかしながら、従来においては、建物全体を簡単な構造で覆い、しかも、大工さんが一人で簡単に作業現場を覆う仮設屋根を架けたり巻き取ったりする事が可能な構造を有する仮設屋根は無かった。【０００８】  さらに、枠組壁工法住宅においては、床や外壁を施工する、建て方大工さんは、一人で作業を行うことが多いので、作業現場を覆う仮設屋根を架けたり巻き取ったりする作業を一人で簡単に行えるような構造である事が必要条件であった。【０００９】  本発明の課題は、この点に鑑みて、簡単な構造で、しかも一人の労力で、短時間で作業現場全体を覆う仮設屋根を、架けたり巻き取ったりする事が出来る仮設屋根を提案することにある。
【課題を解決するための手段】
【００１０】  かかる課題を解決するため、請求項１に記載の発明は、枠組壁工法住宅の足場を組立てる際に、足場左右の中央の単管を高く構成し、その高く構成した足場左右の単管の上端部を互いに支持ロープで結び、さらに、その支持ロープを跨いで複数本のガイドロープを、への字形になるように足場上部の単管に結び付け、複数本のガイドロープの一端に、塩ビパイプにブルーシートを巻きつけた回転式シート巻取装置を載せ、続いてブルーシートの端のハトメに紐を結わえて単管に固定し、塩ビパイプの両端にパイプ回転装置を取付け、パイプ回転装置用ロープを塩ビパイプに一巻きしてパイプ回転装置に通し、そのパイプ回転装置用ロープを引張る事により塩ビパイプに巻き付けられたパイプ回転装置用ロープが塩ビパイプを回転させ、塩ビパイプに巻かれたブルーシートをパイプ回転装置用ロープを引張った方向に広げたり巻き取ったりする事を特徴とする。【００１１】  請求項２に記載の発明は、請求項１の記載の装置に加え、パイプ回転用装置は、鋼板を逆さ台形状に加工したベース板に、パイプを挟むための開口部を開け、ベース板の前方の片側にはパイプ回転装置用ロープを引き込むためのローラーとパイプ回転装置用ロープの外れ止めを取付け、同様に、ベース板の後方の反対側にもパイプ回転装置用ロープを引き込むためのローラーとパイプ回転装置用ロープの外れ止めを取付け、さらにベース板のパイプを挟むための開口部には開口部の上部と左右下部に３個のナットを固定し、この固定した３個のナットのベース板を挟んで、左右方向に回転ローラーをボルトで取付け、さらに左右下部の２個のナットと、そのナットとローラーの間に、パイプ回転装置用ロープをガイドするためのガイド板を取付けた事を特徴とする。【００１２】  請求項３に記載の発明は、請求項１又は２の記載の装置に加え、回転式シート巻取装置の左右に取付けた、パイプ回転装置に巻き付けられたパイプ回転装置用ロープは、手動ウインチと滑車と支持ロープの上部を経由してループ状に構成され、手動ウインチを時計方向に回す場合と、反時計方向に回す場合でパイプ回転装置の進行方向が逆方向になるように構成した事を特徴とする。
【発明の効果】
【００１３】  請求項１に記載の発明によれば、枠組壁工法住宅の足場を組立てる際に、足場左右の中央の単管を高く構成し、その高く構成した足場左右の単管の上端部を互いに支持ロープで結び、さらに、その支持ロープを跨いで複数本のガイドロープを、への字形になるように足場上部の単管に結び付け、複数本のガイドロープの一端に、塩ビパイプにブルーシートを巻きつけた回転式シート巻取装置を乗せ、続いてブルーシートの端のハトメに紐を結わえて単管に固定し、塩ビパイプの両端にパイプ回転装置を取付け、パイプ回転装置用ロープを塩ビパイプに一巻きしてパイプ回転装置に通し、そのパイプ回転装置用ロープを引張る事により塩ビパイプに巻き付けられたパイプ回転装置用ロープが塩ビパイプを回転させ、塩ビパイプに巻かれたブルーシートをパイプ回転装置用ロープを引張った方向に広げたり巻き取ったりする事により、雨の日でも施工中の現場の床が濡れる事が無くなり室内作業が可能になると共に、真夏の日照りが強い日中においてもブルーシートが日陰の役割をはたし、大工さんが快適に作業を進めることが可能となった。さらに、建物の大きさに応じて、長い塩ビパイプや、短い塩ビパイプを使用し、その塩ビパイプの長さに応じた大きさのブルーシートを回転式シート巻取装置に巻き付けて使用する事により、建物の大きさに応じた工事用シート屋根を容易に製作する事が出来るようになると共に、安価なブルーシートを使用し、さらに、塩ビパイプとパイプ回転装置は、再利用する事が可能となり、そのため大幅なコストダウンが可能となった。【００１４】  請求項２に記載の発明によれば、パイプ回転用装置は、鋼板を逆さ台形状に加工したベース板に、パイプを挟むための開口部を開け、ベース板の前方の片側にはパイプ回転装置用ロープを引き込むためのローラーとパイプ回転装置用ロープの外れ止めを取付け、同様に、ベース板の後方の反対側にもパイプ回転装置用ロープを引き込むためのローラーとパイプ回転装置用ロープの外れ止めを取付け、さらにベース板のパイプを挟むための開口部には開口部の上部と左右下部に３個のナットを固定し、この固定した３個のナットのベース板を挟んで、左右方向に回転ローラーをボルトで取付け、さらに左右下部の２個のナットと、そのナットとローラーの間に、パイプ回転装置用ロープをガイドするためのガイド板を取付けた事により、簡単な構造のパイプ回転用装置を用いてパイプ回転装置用ロープを引っ張ることにより、回転式シート巻取装置の塩ビパイプにパイプ回転装置用ロープが絡まることなく塩ビパイプがスムーズに回転し、容易に、塩ビパイプに巻かれたブルーシートをパイプ回転装置用ロープを引張った方向に広げたり巻き取ったりした事が出来るようになった。【００１５】  請求項３に記載の発明によれば、回転式シート巻取装置の左右に取付けた、パイプ回転装置に巻き付けられたパイプ回転装置用ロープは、手動ウインチと滑車と支持ロープの上部を経由してループ状に構成され、手動ウインチを時計方向に回す場合と、反時計方向に回す場合でパイプ回転装置の進行方向が逆方向になるように構成した事により、大工さんが一人で容易に作業現場を覆う工事用シート屋根を架けるたり巻き取ったりする事が可能となり、台風等の強風時においては、容易に工事用シート屋根をたたむ事が可能となった。
【実施例】
【００１６】  以下、この発明の実施の形態について説明する。
【発明を実施するための形態】
【００１７】  図１及至図７には、この発明の実施の形態を示す。
【００１８】  図１は、本件の発明に係る、回転式シート巻取装置８を住宅用足場１の上に載せた状態を斜視図で示す。
【００１９】  基礎２の周囲には足場用単管２８と足場クランプ２３を使って住宅用足場１が設置され、足場左右の中央の、支え単管６と支え単管２２の２本が上方に高く伸びて取付けられると共に、その高く伸びた支え単管６と支え単管２２の上端部を互いに支持ロープ４で結び、さらに、その支持ロープ４を跨いで３本のガイドロープ７、ガイドロープ２６、ガイドロープ２７が、への字形になるように足場上部の足場用単管２８に結び付けるように構成される。
【００２０】  このように構成した３本のガイドロープ７、ガイドロープ２６、ガイドロープ２７の一端に、塩ビパイプにブルーシート９を巻き付けた回転式シート巻取装置８を載せると共に、ブルーシート９の端のハトメにゴムバンド１１を結わえ、ゴムバンド１１の先端部に取付けたフック１２を足場用単管２８に引っ掛けてブルーシート９の一端を足場用単管２８に固定する。
【００２１】  さらに回転式シート巻取装置８の塩ビパイプの両端に、それぞれ、パイプ回転装置１０とパイプ回転装置１９を取付け、一方のパイプ回転装置１０には、パイプ回転装置１０が挟み込んだ塩ビパイプにパイプ回転装置用ロープ５が一巻きされ、つづいてパイプ回転装置用ロープ５は支持ロープ４の上部を跨いで、ガイドロープ７の横の足場用単管２８に取付けられた滑車３を経由し、続いて、パイプ回転装置用ロープ５は、パイプ回転装置１０の下部の足場用単管２８に取付けられた滑車１４を経由し、さらに、回転式シート巻取装置８の下部の足場用単管２８に取付けられた手動ウインチ１６にパイプ回転装置用ロープ５を一巻きし、さらに、滑車１４の上部の足場用単管２８に取付けられた滑車１３を経由してパイプ回転装置１０に一巻きしたパイプ回転装置用ロープ５とループ状態となり、一本のロープとなるように構成される。なお、手動ウインチ１６は、ロープを巻き取るために使用するのではなく、手動ウインチ１６のローラー（図示せず）にパイプ回転装置用ロープ５を一巻きして手動ウインチ１６のハンドル１５を回す事により、パイプ回転装置用ロープ５が引っ張られて綱引きをするように使用する。その為には、手動ウインチ１６のローラー（図示せず）に滑りにくいテープ等を巻いてローラー（図示せず）とテープ等が一体になるように密着させ、パイプ回転装置用ロープ５がローラー（図示せず）を回転させた際、滑りにくくする事が必要である。
【００２２】  同様に、他方のパイプ回転装置１９は、パイプ回転装置１９が挟み込んだ塩ビパイプにパイプ回転装置用ロープ２４が一巻きされ、つづいてパイプ回転装置用ロープ２４は支持ロープ４の上部を跨いで、ガイドロープ２６の横の足場用単管２８に取付けられた滑車２５を経由し、続いて、パイプ回転装置用ロープ２４は、パイプ回転装置１９の下部の足場用単管２８に取付けられた滑車２１を経由し、さらに、回転式シート巻取装置８の下部の足場用単管２８に取付けられた手動ウインチ１８にパイプ回転装置用ロープ２４を一巻きして経由させ、さらに、滑車２１の上部の足場用単管２８に取付けられた滑車２０を経由してパイプ回転装置１９に一巻きしたパイプ回転装置用ロープ２４とループ状態となり、一本のロープとなるように構成される。なお、手動ウインチ１８は、ロープを巻き取るために使用するのではなく、手動ウインチ１８のローラー（図示せず）にパイプ回転装置用ロープ２４を一巻きして手動ウインチ１８のハンドル１７を回す事により、パイプ回転装置用ロープ２４が引っ張られて綱引きをするように使用する。その為には、手動ウインチ１８のローラー（図示せず）に滑りにくいテープ等を巻いてローラー（図示せず）とテープ等が一体になるように密着させ、パイプ回転装置用ロープ２４がローラー（図示せず）を回転させた際、滑りにくくする事が必要である。なお、手動ウインチ１６、手動ウインチ１８は、１人の作業員が簡単に操作を行うため、図１に示した様に、２台を横並びにして設置することが望ましい。
【００２３】  図２は、図１で説明した手動ウインチ１６のハンドル１５と手動ウインチ１８のハンドル１７を同時に回転させて、パイプ回転装置用ロープ５とパイプ回転装置用ロープ２４を引っ張り、２台のパイプ回転装置１０、パイプ回転装置１９に一巻きしたパイプ回転装置用ロープ５、パイプ回転装置用ロープ２４を、同時に引っ張る事により回転式シート巻取装置８が足場用単管２８に固定された支持ロープ４側に引っ張られてブルーシート９が広がった状態を示す。なお、パイプ回転装置用ロープ５とパイプ回転装置用ロープ２４を前記と逆方向に引っ張る（手動ウインチのハンドルを前記とは逆方向に回転させる）事により、回転式シート巻取装置８のブルーシート９が巻き取られ、図１で説明したような状態となる。
【００２４】  図３は、パイプ回転装置４０（図１で説明した、パイプ回転装置１０、パイプ回転装置１９と同一装置）の部品分解図を斜視図で示す。パイプ回転装置４０のベース板４１は、鋼板を逆台形形状に切断して、さらに強度を増すように上部をＬ形に曲げると共に、その逆台形形状の下部中央には、塩ビパイプを挟み込むための逆Ｕ字形の開口部を開け、逆Ｕ字形の下端部の下部５９、下部６４は丸く形成され、逆Ｕ字形の開口部の中央上部と左右下部には３個の穴（図示せず）と、その穴に対応して３個のナット６０、ナット６３、ナット６５が同一面状に溶接で固定され、ベース板４１の矢印で示したベース板前方向３５の先端方向上部側にはガイドローラー３８、ガイドローラー３９を固定するための固定穴６６、固定穴６７が上下に段差を設けて開けられる。同様にして、ベース板４１の矢印で示したベース板後方向３４の上部側にはガイドローラー３６、ガイドローラー３７を固定するための固定穴６１、固定穴６２が上下に段差を設けて開けられる。
【００２５】  つづいて、パイプ回転装置４０のベース板４１に取付ける部品について説明する。ベース板４１の矢印で示したベース板前方向３５の先端方向上部に開けられた固定穴６７の右側には、回転自在な円形のローラー４２と、ローラー４２より外径の大きな丸形状の平座金のガイド円盤４３と、そのローラー４２とガイド円盤４３を固定穴６７に取付けるためのシャフト４４で構成されたガイドローラー３９が、シャフト４４を固定穴６７に挿入した後、シャフト４４をベース板４１に溶接して取付ける。この場合、ガイド円盤４３の外径の大きさは、パイプ回転装置用ロープ５又はパイプ回転装置用ロープ２４がローラー４２から外れないように、ローラー４２の外径より大きく構成する。
【００２６】  さらに、ベース板４１の前方の固定穴６７より逆Ｕ字形の開口部寄りに開けられた固定穴６６の右側には、回転自在な円形のローラー４５と、Ｌ字形の形状をしたロープ外れ止め４６と、そのローラー４５とロープ外れ止め４６を固定穴６６に取付けるためのシャフト４７で構成されたガイドローラー３８が、シャフト４７を固定穴６６に挿入した後、シャフト４７をベース板４１に溶接して取付けられる。この場合、ロープ外れ止め４６のＬ字形の形状は、パイプ回転装置用ロープがローラー４５から外れないように考慮して高さと曲げ長さを決める事が望ましい。なお、ガイドローラー３９に取付けられたローラー４２の外径の寸法と、ガイドローラー３８に取付けられたローラー４５の外径の寸法は、ベース板４１にガイドローラー３９とガイドローラー３８を取付け、ベース板４１のＬ形に曲げた上面と平行になるようにローラー４２の下面とローラー４５の上面の間にパイプ回転装置用ロープ５又はパイプ回転装置用ロープ２４を挿入した場合、ローラー４２の下面とローラー４５の上面がパイプ回転装置用ロープ５又はパイプ回転装置用ロープ２４と接触する外径寸法となるような大きさとする。
【００２７】  同様にして、ベース板４１の矢印で示したベース板後方向３４の後端方向上部に開けられた固定穴６１の左側には、回転自在な円形のローラー７３と、ローラー７３より外径の大きな丸形状の平座金のガイド円盤７４と、そのローラー７３とガイド円盤７４を固定穴６１に取付けるためのシャフト７２で構成されたガイドローラー３６が、シャフト７２を固定穴６１に挿入した後、シャフト７２をベース板４１に溶接して取付ける。この場合、ガイド円盤７４の外径の大きさは、パイプ回転装置用ロープ５又はパイプ回転装置用ロープ２４がローラー７３から外れないように、ローラー７３の外径より大きく構成する。
【００２８】  さらに、ベース板４１の矢印で示したベース板後方向３４の固定穴６１より逆Ｕ字形の開口部寄りに開けられた固定穴６２の左側には、回転自在な円形のローラー７６と、Ｌ字形の形状をしたロープ外れ止め７７と、そのローラー７６とロープ外れ止め７７を固定穴６２に取付けるためのシャフト７５で構成されたガイドローラー３７が、シャフト７５を固定穴６２に挿入した後、シャフト７５をベース板４１に溶接して取付けられる。この場合、ロープ外れ止め７７のＬ字形の形状は、パイプ回転装置用ロープ５又はパイプ回転装置用ロープ２４がローラー７６から外れないように考慮して高さと曲げ長さを決める事が望ましい。なお、ガイドローラー３６に取付けられたローラー７３の外径の寸法と、ガイドローラー３７に取付けられたローラー７６の外径の寸法は、ベース板４１にガイドローラー３６とガイドローラー３７を取付け、ベース板４１のＬ形に曲げた上面と平行になるようにローラー７３の下面とローラー７６の上面の間にパイプ回転装置用ロープ５又はパイプ回転装置用ロープ２４を挿入した場合、ローラー７３の下面とローラー７６の上面がパイプ回転装置用ロープ５又はパイプ回転装置用ロープ２４と接触する外径寸法となるような大きさとする。
【００２９】  さらに、ベース板４１のナット６３に対して、ベース板前方向３５の右側から回転自在な円形の回転ローラー４８が長いボルト４９を挿入されて固定されると共に、ナット６３に挿入され、ベース板４１の矢印で示したベース板前方向３５の左側に突き出したボルト４９に対して、ナット８９と回転ローラー８８と２個のナット８７、ナット８６が挿入され、２個のナット８７、ナット８６により、ベース板４１に対して回転ローラー８８が回転自在に取付けられる。なお、回転ローラー４８と回転ローラー８８は同一外径の製品を使用し、回転ローラー４８と回転ローラー８８の外径寸法は、パイプ回転装置４０に嵌め込まれる塩ビパイプ（図６で説明する）の表面と多少の隙間を有する大きさとする。
【００３０】  さらに、ベース板４１のナット６５に対して、ベース板前方向３５の右側から回転自在な円形の回転ローラー５１が長いボルト５０を挿入されて固定されると共に、ナット６５に挿入され、ベース板４１の矢印で示したベース板前方向３５の左側に突き出したボルト５０に対して、ナット８５と、平板鋼板を横向き凸形状に加工し、ボルト５０を挿入するための長穴８４と、先端部８２はパイプ回転装置用ロープ５又はパイプ回転装置用ロープ２４を誘導（ガイド）するために湾曲状に曲げられたガイド板８３と、そのガイド板８３を固定するためのナット８１と、回転ローラー８０と２個のナット７９、ナット７８が挿入され、２個のナット７８、ナット７９により、ベース板４１に対して回転ローラー８０がボルト５０に対して回転自在に取付けられる。なお、回転ローラー８０と回転ローラー５１は同一外径の製品を使用し、回転ローラー８０と回転ローラー５１のローラーの外径寸法は、パイプ回転装置４０に嵌め込まれる塩ビパイプ（図６で説明する）の表面と多少の隙間を有する大きさとする。
【００３１】  さらに、ベース板４１のナット６０に対して、ベース板前方向３５の右側から、平板鋼板を横向き凸形状に加工し、ボルト５２を挿入するための長穴５７と、先端部５５はパイプ回転装置用ロープ５又はパイプ回転装置用ロープ２４を誘導（ガイド）するために湾曲状に曲げられたガイド板５６と、ナット５４と回転ローラー５３が長いボルト５２が挿入されて固定されると共に、ナット６０に挿入され、ベース板４１の矢印で示したベース板前方向３５の左側に突き出したボルト５２に対して、ナット６８と、回転ローラー６９と２個のナット７０、ナット７１が挿入され、２個のナット７０、ナット７１により、ベース板４１に対して回転ローラー６９がボルト５２に対して回転自在に取付けられる。なお、回転ローラー６９と回転ローラー５３は同一外径の製品を使用し、回転ローラー６９と回転ローラー５３のローラーの外径寸法は、パイプ回転装置４０に嵌め込まれる塩ビパイプ（図６で説明する）の表面と多少の隙間を有する大きさとする。
【００３２】  図４ａは、図３で説明したパイプ回転装置４０の部品をベース板４１に組立てた状態を示す。回転ローラー５１と回転ローラー８０がベース板４１の下部６４より外側に出っ張るように構成されると共に、パイプ回転装置４０が支持ロープ４を乗り越える際に、ベース板４１の下部６４が支持ロープ４に引っかからないように斜め形状で丸く形成され、パイプ回転装置４０がスムーズに支持ロープ４を乗り越えるように構成されている。同様に、回転ローラー５３と回転ローラー６９（ベース板４１に隠れて図示されていない）がベース板４１の下部５９より外側に出っ張るように構成されると共に、パイプ回転装置４０が支持ロープ４を乗り越える際に、ベース板４１の下部５９が支持ロープ４に引っかからないように斜め形状で丸く形成され、パイプ回転装置４０がスムーズに支持ロープ４を乗り越えるように構成されいてる。さらに、ガイド板５６の先端部５６とガイド板８３の先端部８２が、図４ｂで示すように塩ビパイプ９０を挟み込むような位置に固定される。
【００３３】  図４ｂは、図４ａで説明したパイプ回転装置４０に、塩ビパイプを挟み込んだ状態を示す。
【００３４】  図５は、パイプ回転装置４０を塩ビパイプ９０に装着する方法について説明する。図５ａで示すように、最初に塩ビパイプ９０の外径より、少し内径の大きな約５ｃｍの固定用塩ビパイプ９４を用意し、塩ビパイプ端部９３より塩ビパイプ９０に挿入すると共に、固定用塩ビパイプ９４を塩ビパイプ９０に固定ネジ９５で固定する際には、図４ａで説明したベース板４１の左右に取付けられた６個の回転ローラーに接触しないように、固定ネジ９５の位置は固定用パイプ９４の端の位置に固定する。
【００３５】  このように、固定用塩ビパイプ９４を塩ビパイプ９０に取付けた後、図５ｂで示すようにパイプ回転装置４０を塩ビパイプ端部９３から挿入すると共に、つづいて、図５で示すように固定用塩ビパイプ９４と同一形状の固定用塩ビパイプ９６を塩ビパイプ端部９３から挿入し、固定用塩ビパイプ９４と固定用塩ビパイプ９６の間に、パイプ回転装置４０を配置するための約１ｃｍの隙間９８を空け、パイプ回転装置４０に取付けられた６個の回転ローラーに接触しないように、固定用塩ビパイプ９６の穴９９に取付ける固定ネジ９７の位置は固定用パイプ９６の端の位置で固定する。なお、パイプ回転装置４０は、図４で説明したボルト５２、ボルト５０を締め付けているナットを緩め、ガイド板５６とガイド板８３を回転させ、塩ビパイプ９０を下方向から支えているガイド板５６とガイド板８３との支えを取り除く事により、パイプ回転装置４０は塩ビパイプ９０との契合が解除され、パイプ回転装置４０を上方に持ち上げる事により、パイプ回転装置４０を塩ビパイプ９０から取外す事が可能となる。なお、ガイド板５６とガイド板８３に開けられたボルト挿入用の穴を長穴５７、長穴８４とした理由は、パイプ回転装置４０を塩ビパイプ９０に嵌め込んだ際の、パイプ回転装置４０と塩ビパイプ９０とのガタツキを調整するためである。
【００３６】  図６は、回転式シート巻取装置８を斜視図で示す。回転式シート巻取装置８は図６ａに示すように、塩ビパイプ９０の両端に、図５で説明したように、固定用塩ビパイプ１００と固定用塩ビパイプ１０２が、止めネジ１０１と止めネジ１０３で固定されると共に、図６ｂで示すように、固定用塩ビパイプ１００と固定用塩ビパイプ１０２の間の塩ビパイプ９０には、一端を塩ビパイプ９０に固定したブルーシート９が巻き取られ、そのブルーシート９の、他端の複数のハトメ１０４にはゴムバンド１１が取付けられ、ゴムバンド１１の先端にはフック１２が取付けられる。このようにしてブルーシート９が巻き取られた塩ビパイプ９０の両端には、図６ｃで示すように、固定用塩ビパイプ１００と固定用塩ビパイプ１０２の外側にパイプ回転装置１０９とパイプ回転装置１０５が嵌め込まれ、さらに、その外側には固定用塩ビパイプ１０８と固定用塩ビパイプ１０６が止めネジにより取付けられる。
【００３７】  図７は、図６で説明した回転式シート巻取装置８のパイプ回転装置１０２とパイプ回転装置１０９に、パイプ回転装置用ロープ１１０（パイプ回転装置用ロープ５とパイプ回転装置用ロープ２４と同一ロープ）を一巻きして通した状態を斜視図で示す。図７ａは、パイプ回転装置４０を一点鎖線の透明形状で表し、パイプ回転装置用ロープ１１０が、塩ビパイプ９０に対して、どのような状態で一巻きされているかを示す。図７ｂは、図７ａで説明したパイプ回転装置４０にパイプ回転装置用ロープ１１０を一巻きした状態を実線で示す。パイプ回転装置用ロープ１１０は、図３で説明したガイドローラー３９のローラー４２の下部から挿入され、ガイドローラー３８のローラー４５の上部を通過した後、ナット６３の下を通過し、塩ビパイプ９０を巻き込むようにしてガイド板５６の湾曲状に成形された先端部５５にガイドされ、ベース板４１のベース板前方向３５の左側から塩ビパイプ９０に一巻き巻かれ、ナット８５の下を通過してガイドローラー３７のローラー７６の上部を通過した後、つづいてガイドローラー３６のローラー７３の下部を通過する。
【００３８】  このようにパイプ回転装置４０に一巻きされたパイプ回転装置用ロープ１１０を、引っ張ることにより、塩ビパイプ９０が回転してパイプ回転装置用ロープ１１０を引っ張った方向にパイプ回転装置４０を進め、図２で説明したように一端が足場用単管に固定された、回転式シート巻取装置のブルーシート９が住宅用足場１の上のガイドロープに沿って広げられる。なお、パイプ回転装置用ロープ１１０は、図２で説明したように３箇所の滑車と手動ウインチとパイプ回転装置４０の間をループ状態になるように構成すると共に、パイプ回転装置用ロープ１１０は、たるみの無いように引っ張られた状態で取付けられる。なお、パイプ回転装置４０を塩ビパイプの両端に取付け、別々の２本のパイプ回転装置用ロープでパイプ回転装置４０を引っ張る理由は、パイプ回転装置４０に一巻きされたパイプ回転装置用ロープ１１０を引っ張った場合、パイプ回転装置用ロープ１１０が一巻きした塩ビパイプ９０との間で空滑りする場合があり、回転式シート巻取装置が傾く事なく進行させるため、塩ビパイプの両端にパイプ回転装置４０を取付け、左右のパイプ回転装置４０の進み具合に応じて、左右のパイプ回転装置用ロープ１１０を別々に引っ張り、回転式シート巻取装置のブルーシート９を一様に広げるため構成したものである。
【００３９】  以上の実施の形態に基づいて、本発明に係る工事用シート屋根（ロープ巻きタイプ）について詳細に説明してきたが、本発明は、以上の実施の形態に限定されるものではなく、発明の趣旨を逸脱しない範囲において各種の改変をなしても、本発明の技術的範囲に属するのはもちろんである。
【００４０】  図１において、ブルーシート９の一端を固定するため、ブルーシート９のハトメにゴムバンド１１を結わえ、ゴムバンド１１の先端部にフック１２を取付け、フック１１を足場用単管２８に引っ掛けてブルーシート９の一端を固定する、と説明したが、プルーシート９の一端を固定する方法は、これ以外に、ブルーシート９のハトメに紐を結わえて足場用単管に固定する事も、もちろん可能である。
【００４１】  図１で説明した、支持ロープ４については、これ以外に塩ビパイプ等を使用して、塩ビパイプの両端を足場用単管に固定する事はもちろん可能である。
【００４２】  図３において、ベース板４１の形状に関して「鋼板を逆台形状に切断して強度を増すように上部をＬ形に曲げる」と説明したが、ベース板４１の形状については、この形状に拘る事なく、例えばＴ形のような形状でも当然可能である。
【００４３】  図３において、回転ローラーをベース板４１の左右に３個づつ配置したと説明したが、回転ローラーの個数に関しては、この個数に拘ることなく増やすことも当然可能である。
【００４４】  図６において、回転式シート巻取装置８にブルーシート９を巻付けているが、ブルーシート９と同様に防水効果のあるシートであれば、それを使用する事はもちろん可能である。
【図面の簡単な説明】
【００４５】
【図１】枠組壁工法住宅を建築する為の基礎と足場に、本発明の回転式シート巻取装置を設置した状態を斜視図で示す。
【図２】図１の回転式シート巻取装置を少し作動させて、少しブルーシートを広げた状態を斜視図で示す。
【図３】パイプ回転装置の部品分解図を斜視図で示す。
【図４】パイプ回転装置を斜視図で示す。
【図５】パイプ回転装置を塩ビパイプに装着した状態を斜視図で示す。
【図６】回転式シート巻取装置を斜視図で示す。
【図７】図５の、塩ビパイプに装着したパイプ回転装置にパイプ回転装置用ロープを装着した状態を斜視図で示す。
【符号の説明】
【００４６】１                  住宅用足場
２                  基礎
３                  滑車
４                  支持ロープ
５                  パイプ回転装置用ロープ
６                  支え単管
７                  ガイドロープ
８                  回転式シート巻取装置
９                  ブルーシート
１０                パイプ回転装置
１１                ゴムバンド
１２                フック
１３                滑車
１４                滑車
１５                ハンドル
１６                手動ウインチ
１７                ハンドル
１８                手動ウインチ
１９                パイプ回転装置
２０                滑車
２１                滑車
２２                支え単管
２３                足場クランプ
２４                パイプ回転装置用ロープ
２５                滑車
２６                ガイドロープ
２７                ガイドロープ
２８                足場用単管
３４                ベース板後方向
３５                ベース板前方向
３６                ガイドローラー
３７                ガイドローラー
３８                ガイドローラー
３９                ガイドローラー
４０                パイプ回転装置
４１                ベース板
４２                ローラー
４３                ガイド円盤
４４                シャフト
４５                ローラー
４６                ロープ外れ止め
４７                シャフト
４８                回転ローラー
４９                ボルト
５０                ボルト
５１                回転ローラー
５２                ボルト
５３                回転ローラー
５４                ナット
５５                先端部
５６                ガイド板
５７                長穴
５８                パイプ受開口部
５９                下部
６０                ナット
６１                固定穴
６２                固定穴
６３                ナット
６４                下部
６５                ナット
６６                固定穴
６７                固定穴
６８                ナット
６９                回転ローラー
７０                ナット
７１                ナット
７２                シャフト
７３                ローラー
７４                ガイド円盤
７５                シャフト
７６                ローラー
７７                ロープ外れ止め
７８                ナット
７９                ナット
８０                回転ローラー
８１                ナット
８２                先端部
８３                ガイド板
８４                長穴
８５                ナット
８６                ナット
８７                ナット
８８                回転ローラー
８９                ナット
９０                塩ビパイプ
９１                テーパー部
９２                テーパー部
９３                塩ビパイプ端部
９４                固定用塩ビパイプ
９５                止めネジ
９６                固定用塩ビパイプ
９７                止めネジ
９８                隙間
９９                穴
１００              固定用塩ビパイプ
１０１              止めネジ
１０２              固定用塩ビパイプ
１０３              止めネジ
１０４              ハトメ
１０５              パイプ回転装置
１０６              固定用塩ビパイプ
１０７              止めネジ
１０８              固定用塩ビパイプ
１０９              パイプ回転装置
１１０              パイプ回転装置用ロープ
【図１】
0005804417.tif 000002
【図２】
0005804417.tif 000003
【図３】
0005804417.tif 000004
【図４】
0005804417.tif 000005
【図５】
0005804417.tif 000006
【図６】
0005804417.tif 000007
【図７】
0005804417.tif 000008